【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
導電性支持体及び該導電性支持体上に形成された感光層を有する電子写真感光体において、
該電子写真感光体の表面層が、
下記式（１）で示される繰り返し構造単位を有する極限粘度〔η〕０．１ｄｌ／ｇ以上０．３ｄｌ／ｇ未満のポリカーボネート樹脂と、
下記式（２）で示されるシロキサン構造を有する重合体と
を含有することを特徴とする電子写真感光体。
【化１】
2009186743.tif 000001
（式（１）中、Ｒ１乃至Ｒ３０は水素原子、ハロゲン原子、アルコキシ基、ニトロ基、置換アルキル基、無置換アルキル基、置換アリール基又は無置換アリール基を示す。）
【化２】
2009186743.tif 000002
（式（２）中、Ｒ３１乃至Ｒ３４は同一又は異なって、水素原子、ハロゲン原子、アルコキシ基、ニトロ基、置換アルキル基、無置換アルキル基、置換アリール基又は無置換アリール基を示す。ｎは１乃至５００の繰り返し数を示す平均値を示す。）
【請求項２】
前記ポリカーボネート樹脂が、極限粘度〔η〕０．１３ｄｌ／ｇ以上０．２８ｄｌ／ｇ以下のポリカーボネート樹脂である請求項１に記載の電子写真感光体。
【請求項３】
前記表面層に含有される前記ポリカーボネート樹脂の前記式（１）で示される繰り返し構造単位が、前記表面層に含有される全バインダー樹脂に対して１５質量％以上１００重量％以下である請求項１又は２に記載の電子写真感光体。
【請求項４】
前記式（２）で示されるシロキサン構造を有する重合体が、下記式（３）で示される繰り返し構造単位及び下記式（４）で示される繰り返し構造単位を有し、かつ、末端の一方又は両方に下記式（５）で示される構造を有する極限粘度〔η〕０．１ｄｌ／ｇ以上０．７ｄｌ／ｇ未満のポリカーボネート重合体である請求項１乃至３のいずれか１項に記載の電子写真感光体。
【化３】
2009186743.tif 000003
（式（３）中、Ｘは単結合、−Ｏ−、−Ｓ−、置換アルキリデン基又は無置換アルキリデン基を示す。Ｒ３５乃至Ｒ４２は同一又は異なって、水素原子、ハロゲン原子、アルコキシ基、ニトロ基、置換アルキル基、無置換アルキル基、置換アリール基又は無置換アリール基を示す。）
【化４】
2009186743.tif 000004
（式（４）中、Ｒ４３及びＲ４４は水素原子、アルキル基又はアリール基を示す。Ｒ４５乃至Ｒ４８は同一又は異なって、水素原子、ハロゲン原子、置換又は無置換のアルキル基又はアリール基を示す。ａは１乃至３０を示す。ｍは１乃至５００の繰り返し数を示す平均値を示す。）
【化５】
2009186743.tif 000005
（式（５）中、Ｒ４９及びＲ５０は水素原子、ハロゲン原子、アルコキシ基、ニトロ基、無置換アルキル基、置換アルキル基、無置換アリール基又は置換アリール基を示す。Ｒ５１及びＲ５２は水素原子、アルキル基又はアリール基を示す。Ｒ５３乃至Ｒ５７は同一又は異なっており、水素原子、ハロゲン原子、無置換アルキル基、置換アルキル基、無置換アリール基又は置換アリール基を示す。ｂは１乃至３０を示す。ｌは１乃至５００の繰り返し数を示す平均値を示す。）
【請求項５】
前記表面層が、更に、下記式（３）で示される繰り返し構造単位及び下記式（６）で示される構造単位を有する極限粘度〔η〕０．１ｄｌ／ｇ以上０．７ｄｌ／ｇ未満のポリカーボネート重合体を含有する請求項１乃至４のいずれか１項に記載の電子写真感光体。
【化６】
2009186743.tif 000006
（式（３）中、Ｘは単結合、−Ｏ−、−Ｓ−、置換アルキリデン基又は無置換アルキリデン基を示す。Ｒ３５乃至Ｒ４２は同一又は異なって、水素原子、ハロゲン原子、アルコキシ基、ニトロ基、置換アルキル基、無置換アルキル基、置換アリール基又は無置換アリール基を示す。）
【化７】
2009186743.tif 000007
（式（６）中、Ｒ５８乃至Ｒ６２は各々独立して水素原子、ハロゲン原子、置換基を有してもよい炭素数１乃至２０のアルキル基、置換基を有してもよい炭素数６乃至１２のアリール基、置換基を有してもよい炭素数１乃至５のアルコキシ基、又は置換基を有してもよい炭素数７乃至１７のアラルキル基を示す。Ｒ６３は炭素数１乃至２０のアルキレン基を示す。Ｙは下記式（Ｙ）で示される化合物を示す。
【化８】
2009186743.tif 000008
（式（Ｙ）中、Ｒ６４乃至Ｒ７２は各々独立して水素原子、ハロゲン原子、置換基を有してもよい炭素数１乃至２０のアルキル基、置換基を有してもよい炭素数６乃至１２のアリール基、置換基を有してもよい炭素数１乃至５のアルコキシ基、又は置換基を有してもよい炭素数７乃至１７のアラルキル基を示す。ｃは１以上を示す。ｄは０以上の整数を示す。））
【請求項６】
請求項１乃至５いずれか１項に記載の電子写真感光体と、該電子写真感光体を帯電させる帯電手段、該電子写真感光体上に形成された静電潜像をトナーで現像する現像手段及び転写工程後の該電子写真感光体上に残るトナーを回収するクリーニング手段からなる群より選ばれる少なくとも一つの手段とを共に一体に保持し、電子写真装置に着脱自在であるプロセスカートリッジであって、
該帯電手段が、該電子写真感光体に接触して該電子写真感光体を帯電させる接触帯電ローラーを有し、該クリーニング手段が、該電子写真感光体の表面に当接するクリーニングブレードを有することを特徴とするプロセスカートリッジ。
【請求項７】
請求項１乃至５いずれか１項に記載の電子写真感光体、該電子写真感光体を帯電させる帯電手段、帯電した該電子写真感光体に対して露光を行い該電子写真感光体上に静電潜像を形成する露光手段、該電子写真感光体上に形成された静電潜像をトナーで現像する現像手段及び転写工程後の該電子写真感光体上に残るトナーを回収するクリーニング手段を備える電子写真装置において、
該帯電手段が、該電子写真感光体に接触して該電子写真感光体を帯電させる接触帯電ローラーを有し、該クリーニング手段が、該電子写真感光体の表面に当接するクリーニングブレードを有することを特徴とする電子写真装置。
【手続補正２】
【補正対象書類名】明細書
【補正対象項目名】００１２
【補正方法】変更
【補正の内容】
【００１２】
本発明に従って、導電性支持体及び該導電性支持体上に形成された感光層を有する電子写真感光体において、
該電子写真感光体の表面層が、
下記式（１）で示される繰り返し構造単位を有する極限粘度〔η〕０．１ｄｌ／ｇ以上０．３ｄｌ／ｇ未満のポリカーボネート樹脂と、
下記式（２）で示されるシロキサン構造を有する重合体と
を含有することを特徴とする電子写真感光体が提供される。
【手続補正３】
【補正対象書類名】明細書
【補正対象項目名】００１４
【補正方法】変更
【補正の内容】
【００１４】
（式（１）中、Ｒ１乃至Ｒ３０は水素原子、ハロゲン原子、アルコキシ基、ニトロ基、置換アルキル基、無置換アルキル基、置換アリール基又は無置換アリール基を示す。）
【手続補正４】
【補正対象書類名】明細書
【補正対象項目名】００１５
【補正方法】変更
【補正の内容】
【００１５】
【化９】
2009186743.tif 000009
【手続補正５】
【補正対象書類名】明細書
【補正対象項目名】００１６
【補正方法】変更
【補正の内容】
【００１６】
（式（２）中、Ｒ３１乃至Ｒ３４は同一又は異なって、水素原子、ハロゲン原子、アルコキシ基、ニトロ基、置換アルキル基、無置換アルキル基、置換アリール基又は無置換アリール基を示す。ｎは１乃至５００の繰り返し数を示す平均値を示す。）
【手続補正６】
【補正対象書類名】明細書
【補正対象項目名】００１７
【補正方法】変更
【補正の内容】
【００１７】
本発明に従って、上記電子写真感光体と、該電子写真感光体を帯電させる帯電手段、該電子写真感光体上に形成された静電潜像をトナーで現像する現像手段及び転写工程後の該電子写真感光体上に残るトナーを回収するクリーニング手段からなる群より選ばれる少なくとも一つの手段とを共に一体に保持し、電子写真装置に着脱自在であるプロセスカートリッジであって、
該帯電手段が、該電子写真感光体に接触して該電子写真感光体を帯電させる接触帯電ローラーを有し、該クリーニング手段が、該電子写真感光体の表面に当接するクリーニングブレードを有することを特徴とするプロセスカートリッジが提供される。
【手続補正７】
【補正対象書類名】明細書
【補正対象項目名】００１８
【補正方法】変更
【補正の内容】
【００１８】
本発明に従って、上記電子写真感光体、該電子写真感光体を帯電させる帯電手段、帯電した該電子写真感光体に対して露光を行い該電子写真感光体上に静電潜像を形成する露光手段、該電子写真感光体上に形成された静電潜像をトナーで現像する現像手段及び転写工程後の該電子写真感光体上に残るトナーを回収するクリーニング手段を備える電子写真装置において、
該帯電手段が、該電子写真感光体に接触して該電子写真感光体を帯電させる接触帯電ローラーを有し、該クリーニング手段が、該電子写真感光体の表面に当接するクリーニングブレードを有することを特徴とする電子写真装置が提供される。
【手続補正８】
【補正対象書類名】明細書
【補正対象項目名】００２１
【補正方法】変更
【補正の内容】
【００２１】
本発明の電子写真感光体は導電性支持体及び該導電性支持体上に形成された感光層を有するものである。感光層は、電荷輸送物質と電荷発生物質とを同一の層に含有する単層型感光層であっても、電荷発生物質を含有する電荷発生層と電荷輸送物質を含有する電荷輸送層とに分離した積層型（機能分離型）感光層であってもよい。本発明による電子写真感光体は、電子写真特性の観点から、積層型感光層が好ましい。また、積層型感光層は、支持体側から電荷発生層、電荷輸送層の順に積層した順層型感光層であっても、支持体側から電荷輸送層、電荷発生層の順に積層した逆層型感光層であってもよい。本発明による電子写真感光体において、積層型感光層を採用する場合、電子写真特性の観点から、順層型感光層が好ましい。また、電荷発生層を積層構造としてもよく、また、電荷輸送層を積層構成としてもよい。更に、耐久性能向上等を目的とし感光層上に保護層を設けることも可能である。また、導電層支持体と感光層の間に導電層や中間層を設けてもよい。
【手続補正９】
【補正対象書類名】明細書
【補正対象項目名】００２２
【補正方法】変更
【補正の内容】
【００２２】
本発明における支持体は、アルミニウム、アルミニウム合金又はステンレスのような金属製の円筒状支持体を用いることができる。アルミニウム又はアルミニウム合金の場合は、引抜き管のＥＤ管やＥＩ管、これらを切削、電解複合研磨（電解作用を有する電極と電解質溶液による電解及び研磨作用を有する砥石による研磨）、湿式又は乾式ホーニング処理したものも用いることができる。また、アルミニウム、アルミニウム合金又は酸化インジウム−酸化スズ合金を真空蒸着によって被膜形成された層を有する上記金属製円筒状支持体や樹脂製円筒状支持体を用いることができる。ここで、該樹脂製円筒状支持体としては、ポリエチレンテレフタレート、ポリブチレンテレフタレート、フェノール樹脂、ポリプロピレン又はポリスチレン樹脂を用いることが可能である。また、カーボンブラック、酸化スズ粒子、酸化チタン粒子又は銀粒子のような導電性粒子を樹脂や紙に含浸した円筒状支持体や、導電性結着樹脂を有するプラスチックを用いることもできる。支持体及びその酸化被膜を含む体積抵抗率は、１×１０１０Ω・ｃｍ以下であることが好ましく、特には１×１０６Ω・ｃｍ以下であることがより好ましい。
【手続補正１０】
【補正対象書類名】明細書
【補正対象項目名】００４７
【補正方法】変更
【補正の内容】
【００４７】
本発明の電子写真感光体は、
式（１）で示される繰り返し構造単位を有する極限粘度〔η〕が０．１ｄｌ／ｇ以上０．３ｄｌ／ｇ未満のポリカーボネート樹脂と、
式（２）で示されるシロキサン構造を有する重合体と
を表面層に含有することを特徴とする。
【手続補正１１】
【補正対象書類名】明細書
【補正対象項目名】００４８
【補正方法】変更
【補正の内容】
【００４８】
その理由については詳細については明確になっていないが、式（１）で示されるシクロドデカン構造を有することにより、
（ａ）従来の同じ極限粘度を有するバインダー樹脂に比べ、機械的な圧力に対して強い強度を持ち、
（ｂ）強い圧力が長期間かかっても凹み難い
という性質を示すのに対して、帯電手段による電気的な放電での磨耗は従来の同じ極限粘度を有するバインダー樹脂と同等であるという特異的な性質によると推察される。また、シロキサン構造を有する重合体を同時に含有することで、シロキサン鎖のもつポリマー膜内の応力が緩和されるという応力緩和性により表面層がより凹み難い性質を示す。また、画像流れについても、シロキサン構造の持つ離型効果により表面層に転写材やオゾンや窒素酸化物等の放電生成物の付着を抑制するといった効果をもたらすと考えられる。更に、式（１）で示される繰り返し構造単位を有する極限粘度〔η〕０．１ｄｌ／ｇ以上０．３ｄｌ／ｇ未満の低分子量のポリカーボネート樹脂と同時に用いることにより、両者単独で使用した場合に比べ大きな改善効果をもたらすのであると推察される。
【手続補正１２】
【補正対象書類名】明細書
【補正対象項目名】００５０
【補正方法】変更
【補正の内容】
【００５０】
特に、帯電手段が接触帯電ローラーや、クリーニング手段がクリーニングブレード等の感光体表面に当接する構成で上記感光体表面層が凹み、横帯び画像欠陥が発生し易くなる。近年の球形化された重合トナー等をクリーニングするにはより高い圧力でクリーニングブレードを配置する必要があるためより厳しい条件となる。更には、帯電方式として直流電流のみで帯電する所謂ＤＣ帯電方式では感光体表面層の数ミクロンの膜厚ムラが画像に表れ易いため、当接部材と感光体表面層当接部の軽微な凹みが画像に表れるため、より顕著となって発生する。
【手続補正１３】
【補正対象書類名】明細書
【補正対象項目名】００５１
【補正方法】変更
【補正の内容】
【００５１】
上記のような理由から、
極限粘度〔η〕が０．１ｄｌ／ｇ以上０．３ｄｌ／ｇ未満である式（１）で示される繰り返し構造単位を有するポリカーボネート樹脂と、
式（２）で示されるシロキサン構造を有する重合体と
を電子写真感光体の表面層に含有する構成が、両者の課題に対してより厳しい使用方法や電子写真装置構成であっても十分な改善効果を得ることができるのであると思われる。
【手続補正１４】
【補正対象書類名】明細書
【補正対象項目名】００５２
【補正方法】変更
【補正の内容】
【００５２】
本発明に係る式（１）で示される繰り返し構造単位を有する極限粘度〔η〕０．１ｄｌ／ｇ以上０．３ｄｌ／ｇ未満のポリカーボネート樹脂は、ビスフェノールＡと炭酸エステル形成化合物からポリカーボネートを製造する際に用いられている公知の方法を採用することができる。例えば、ビスフェノール類とホスゲンとの直接反応（ホスゲン法）、あるいはビスフェノール類とビスアリールカーボネートとのエステル交換反応（エステル交換法）等の方法が挙げられる。
【手続補正１５】
【補正対象書類名】明細書
【補正対象項目名】００５３
【補正方法】変更
【補正の内容】
【００５３】
前記式（１）で示される繰り返し構造単位を有する極限粘度〔η〕０．１ｄｌ／ｇ以上０．３ｄｌ／ｇ未満のポリカーボネート樹脂は、式（１）で示される繰り返し構造単位のみを有するポリカーボネート樹脂であってもよい。また、他の構造単位を有する共重合ポリカーボネート樹脂であってもよい。但し、前述の画像流れと長期間保管された場合の感光体表面層の接触部材との当接部の凹みを改善し、両者の課題に対して十分な改善効果を得るには、表面層に含有される全バインダー樹脂に対して、前記ポリカーボネート樹脂の式（１）で示される繰り返し構造単位が１５質量％以上１００重量％以下の範囲内であることがより好ましい。
【手続補正１６】
【補正対象書類名】明細書
【補正対象項目名】００５４
【補正方法】変更
【補正の内容】
【００５４】
本発明の式（１）で示される繰り返し構造単位を有する極限粘度〔η〕０．１ｄｌ／ｇ以上０．３ｄｌ／ｇ未満のポリカーボネート樹脂の構造単位を誘導するビスフェノール類は下記式（７）で示されるものである。
【手続補正１７】
【補正対象書類名】明細書
【補正対象項目名】００７２
【補正方法】変更
【補正の内容】
【００７２】
シロキサン構造を有する重合体とは下記式（２）で示されるシロキサン構造を有している重合体を指す。
【手続補正１８】
【補正対象書類名】明細書
【補正対象項目名】００７３
【補正方法】変更
【補正の内容】
【００７３】
【化１１】
2009186743.tif 000010
【手続補正１９】
【補正対象書類名】明細書
【補正対象項目名】００７８
【補正方法】変更
【補正の内容】
【００７８】
また、シロキサン構造を有するポリカーボネート重合体も好ましく、具体的には式（４）で示される繰り返し構造単位及び式（３）で示される繰り返し構造単位を有するポリカーボネート重合体が挙げられる。
【手続補正２０】
【補正対象書類名】明細書
【補正対象項目名】００７９
【補正方法】変更
【補正の内容】
【００７９】
【化１２】
2009186743.tif 000011
【手続補正２１】
【補正対象書類名】明細書
【補正対象項目名】００８１
【補正方法】変更
【補正の内容】
【００８１】
【化１３】
2009186743.tif 000012
【手続補正２２】
【補正対象書類名】明細書
【補正対象項目名】００８３
【補正方法】変更
【補正の内容】
【００８３】
更には、シロキサン構造を有するポリカーボネート重合体の中でも、上記式（３）で示される繰り返し構造単位及び上記式（４）で示される繰り返し構造単位を有し、かつ、末端の一方又は両方に下記式（５）で示される構造を有する極限粘度〔η〕０．１ｄｌ／ｇ以上０．７ｄｌ／ｇ未満のポリカーボネート重合体がより好ましい。
【手続補正２３】
【補正対象書類名】明細書
【補正対象項目名】００８４
【補正方法】変更
【補正の内容】
【００８４】
【化１４】
2009186743.tif 000013
【手続補正２４】
【補正対象書類名】明細書
【補正対象項目名】００８６
【補正方法】変更
【補正の内容】
【００８６】
以下に式（３）で示される繰り返し構造単位及び式（４）で示される繰り返し構造単位を有し、かつ、末端の一方又は両方に式（５）で示される構造を有するポリカーボネート重合体の合成例を示す。
【手続補正２５】
【補正対象書類名】明細書
【補正対象項目名】００９４
【補正方法】変更
【補正の内容】
【００９４】
更には、側鎖にシロキサン構造を有するポリカーボネート重合体もより好ましい。具体的には式（３）で示される繰り返し構造単位及び式（６）で示される構造単位を有する極限粘度〔η〕０．１ｄ以上０．７ｄｌ／ｇ未満であるポリカーボネート重合体が挙げられる。
【手続補正２６】
【補正対象書類名】明細書
【補正対象項目名】００９５
【補正方法】変更
【補正の内容】
【００９５】
【化１７】
2009186743.tif 000014
【手続補正２７】
【補正対象書類名】明細書
【補正対象項目名】００９６
【補正方法】変更
【補正の内容】
【００９６】
式（６）中、Ｒ５８乃至Ｒ６２は各々独立して水素原子、ハロゲン原子、置換基を有してもよい炭素数１乃至２０のアルキル基、置換基を有してもよい炭素数６乃至１２のアリール基、置換基を有してもよい炭素数１乃至５のアルコキシ基、又は置換基を有してもよい炭素数７乃至１７のアラルキル基を示す。Ｒ６３は炭素数１乃至２０のアルキレン基を示す。Ｙは下記式（Ｙ）で示される化合物を示す。
【手続補正２８】
【補正対象書類名】明細書
【補正対象項目名】００９７
【補正方法】変更
【補正の内容】
【００９７】
【化１８】
2009186743.tif 000015
【手続補正２９】
【補正対象書類名】明細書
【補正対象項目名】００９８
【補正方法】変更
【補正の内容】
【００９８】
式（Ｙ）中、Ｒ６４乃至Ｒ７２は各々独立して水素原子、ハロゲン原子、置換基を有してもよい炭素数１乃至２０のアルキル基、置換基を有してもよい炭素数６乃至１２のアリール基、置換基を有してもよい炭素数１乃至５のアルコキシ基、又は置換基を有してもよい炭素数７乃至１７のアラルキル基を示す。ｃは１以上を示す。ｄは０以上の整数を示す。
【手続補正３０】
【補正対象書類名】明細書
【補正対象項目名】００９９
【補正方法】変更
【補正の内容】
【００９９】
以下に式（３）で示される繰り返し構造単位及び式（６）で示される繰り返し構造単位を有する側鎖にシロキサン構造を有するポリカーボネート重合体の合成例を示す。
【手続補正３１】
【補正対象書類名】明細書
【補正対象項目名】０１０９
【補正方法】変更
【補正の内容】
【０１０９】
シロキサン構造を有する重合体の中でも上記に示した、
（１）式（３）で示される繰り返し構造単位及び式（４）で示される繰り返し構造単位を有し、かつ、末端の一方又は両方に式（５）で示される構造を有する極限粘度〔η〕０．１ｄｌ／ｇ以上０．７ｄｌ／ｇ未満のポリカーボネート重合体、
（２）式（３）で示される繰り返し構造単位及び式（６）で示される繰り返し構造単位を有する極限粘度〔η〕０．１ｄｌ／ｇ以上０．７ｄｌ／ｇ未満のポリカーボネート重合体
がより高い効果を発揮するという意味でより好ましい。
【手続補正３２】
【補正対象書類名】明細書
【補正対象項目名】０１１１
【補正方法】変更
【補正の内容】
【０１１１】
図１において、円筒状の電子写真感光体１は、軸２を中心に矢印方向に所定の周速度で回転駆動される。回転駆動される電子写真感光体１の表面は、帯電手段（帯電手段：例えば接触帯電ローラー）３により、正又は負の所定電位に均一に帯電される。次いで、スリット露光やレーザービーム走査露光のような露光手段（不図示）から出力される露光光（画像露光光）４を受ける。こうして電子写真感光体上に、目的の画像に対応した静電潜像が順次形成されていく。そして、電子写真感光体上に形成された静電潜像は、現像手段５の現像剤に含まれるトナーにより現像されてトナー像となる。該トナー像は転写手段（例えば転写ローラー）６からの転写バイアスによって、転写材供給手段（不図示）から電子写真感光体１と転写手段６との間（当接部）に電子写真感光体１の回転と同期して給送された転写材（例えば紙）Ｐに順次転写されていく。そして、トナー像の転写を受けた転写材Ｐは、電子写真感光体１の表面から分離されて定着手段８へ導入されて像定着を受けることにより画像形成物（プリント、コピー）として装置外へプリントアウトされる。トナー像転写工程後の電子写真感光体１の表面は、クリーニング手段（例えばクリーニングブレード部材）７によって転写残りの現像剤（トナー）の回収を受けて清浄面化される。この中で電子写真感光体に当接する部材としては、帯電ローラーやクリーニングブレード、現像ローラー等が挙げられる。中でもクリーニングブレードは近年の球形化されたトナー（例えば重合トナー等）をいかなる環境においても良好にクリーニングするために、感光体に対する当接圧が非常に強くなる傾向がある。一般的に球形化されたトナーを良好にクリーニングするためには０．５Ｎ乃至１．５Ｎ程度の比較的高い当接圧で感光体表面層にクリーニングブレードを当接させることが一般的である。このような状態においても、本発明の電子写真感光体を用いることによって、高温高湿の環境下での画像流れの発生を防止すると共に、長期保管での接触部材当接部において、電子写真感光体表面層の凹み難いという特徴をもつ。
【手続補正３３】
【補正対象書類名】明細書
【補正対象項目名】０１２６
【補正方法】変更
【補正の内容】
【０１２６】
作製した電子写真感光体を、ヒューレットパッカード製ＬＢＰ「カラーレーザージェット３８００」のシアントナー用プロセスカートリッジに装着した。尚、カラーレーザージェット３８００本体の排気ファンは取り外し、風路をふさいだ。また、プロセススピードを１８０ｍｍ／ｓｅｃになるように改造した。更に、プロセスカートリッジの弾性クリーニングブレードの感光体に対する当接圧は１．４Ｎ、接触帯電ローラーの感光体に対する当接圧は０．７Ｎに設定した。
【手続補正３４】
【補正対象書類名】明細書
【補正対象項目名】０１２８
【補正方法】変更
【補正の内容】
【０１２８】
画像評価用パターンとして（ベタ黒、ベタ白、桂馬ハーフトーン）の出力を行い、弾性クリーニングブレード当接部及び接触帯電ローラー当接部の感光体の表面層の凹みが画像上横白帯びとなっているか画像評価を行った。画像の指標は以下にて行った。
Ａ：全ての画像パターンで横白帯び画像の発生がない
Ｂ：ハーフトーン画像のみで軽微に横白帯び画像が発生
Ｃ：ハーフトーン画像のみで横白帯び画像が発生
Ｄ：ハーフトーン画像で横白帯び画像が発生し、ベタ黒画像で横白帯び画像が軽微に発生Ｅ：ハーフトーン画像及びベタ黒画像で横白帯び画像が顕著に発生
【手続補正３５】
【補正対象書類名】明細書
【補正対象項目名】０１２９
【補正方法】変更
【補正の内容】
【０１２９】
画像出力後、プロセスカートリッジを取り出し、電子写真感光体と弾性クリーニングブレード当接位置及び接触帯電ローラー当接部で感光体の表面層の凹み量を超深度形状測定顕微鏡ＶＫ−９５００（（株）キーエンス社製）を用いて測定を行った。測定には、測定対象の電子写真感光体の円筒状支持体を固定できるよう加工された置き台に設置し、電子写真感光体の上端から１３０ｍｍ離れた位置の表面観察を行った。観察された凹形状部を解析プログラムを用いて凹み量の深さ測定を行った。